(57)【要約】【課題】比較的硬い下げ紐を有する手下げ袋のような下げ紐付き物品を１個づつ円滑に、かつ確実に取り出すことのできる比較的簡便構造の下げ紐付き物品の自動販売装置を提供する。【解決手段】支柱１３側に収納されている手下げ袋の２本の下げ紐１ａ，１ｂをゲート円盤２１の凹部４１Ａに横向きに係着し、ゲート円盤２１を支軸２３を中心に回動することにより手下げ袋は上方に取り手し可能になる。ゲート円盤２１の凹部４１Ａは下げ紐１ａ，１ｂの幅寸法よりもやや広い溝幅ａで下げ紐１ａ，１ｂの厚みよりもやや深い深さｈの形状のものからなる。この形状の凹部４１Ａにより下げ紐１ａ，１ｂは凹部４１Ａ内に容易に収納係着される。【選択図】　　　図１
2004126995.tif 000002
【特許請求の範囲】
【請求項１】
下げ紐付き物品の下げ紐の部分を回動拘束されているゲート円盤の外周に形成されている凹部に係止し、購入金額の投入により前記ゲート円盤の拘束を解除し、該ゲート円盤を回動して前記下げ紐付き物品を１個づつ取り出すべく構成される自動販売装置であって、前記下げ紐が幅寸法ｂで厚みｔの長方形断面でやや硬い材料からなる場合において、前記ゲート円盤の前記凹部を円盤の周方向に沿って前記幅寸法ｂより幅広の溝幅ａで前記厚みｔの２倍の寸法より深い深さｈのものから形成することを特徴とする下げ紐付き物品の自動販売装置。
【発明の詳細な説明】
【０００１】
【発明の属する技術分野】
本発明は、下げ紐付き物品を１個づつ取り出す自動販売装置に係り、特に下げ紐の部分の断面が長方形状でやや硬い材料からなる場合にこの下げ紐付き物品を円滑に、かつ確実に取り出すことのできる下げ紐付き物品の自動販売装置に関する。
【０００２】
【従来の技術】
最近、下げ紐のついている物品、例えば、買物用の手下げ袋はデパート等の人口近傍に配置される自動販売装置に収納され、購入金額の投金により１個づつ取り出すようにされている。この自動販売装置としては数種類の構造のものがあるが、例えば、特許第２５１９０８７号公報に開示するものが一般に広く使用されている。この従来の「自動販売機」の主要構造を説明すると、図５に示すように、支柱１３に固定されている部材８０の円弧状のゲート溝１５に案内されて支軸２３を中心として回動するゲート円盤２１の凹部４１に下げ紐１ａ，１ｂを係止し、ゲート円盤２１を矢印Ａ方向に回動し、矢印Ｂ方向に１個づつ取り出す構造のものからなる。
【０００３】
図５に示した従来の「自動販売機」の場合は、下げ紐付き物品としては主に図４（ａ）に示すような手下げ袋１向けに作られている。即ち、この手下げ袋１は、紙材やプラスチック材等からなる袋体１ｃとこの開口側に固定される２本の下げ紐１ａ，１ｂとからなる。図４（ｂ）に示すように、この手下げ袋１の下げ紐１ａ，１ｂは断面形状が円状で紙材やプラスチック材をより合わせた紐状部材からなり、その直径も余り大きくなく、かつ硬さも比較的柔いものからなる。従って、図５に示すゲート円盤２１の凹部４１のような構造の比較的溝幅が狭く、深さのやや深い形状の凹部４１に下げ紐１ａ，１ｂを安定係着して手下げ袋１を円滑に取り出すことができる。なお、前記の特許第２５１９０８７号公報に示す従来「自動販売機」には、詳細内容の説明は省略するが一度に２個以上の手下げ袋１を取り出すことができないような種々な工夫がなされている。
【０００４】
【発明が解決しようとする課題】
手下げ袋１としては図４に示す形状のものが従来では一般的であったが、この手下げ袋１は前記のように紙材やプラスチック材からなり、かつそれ程丈夫に出来ないことから数回の使用により廃棄されることが多い。従って、産業廃棄物となり、かつ多量に使用されるためその処分に多額の費用と労力を要する。また、環境保全や省資源の面でも大きな問題点となっている。このため、最近では比較的長期間使用できる布製で特に下げ紐部分が強化された手下げ袋が推奨され、図４に示したような手下げ袋１は使用禁止の方向に行政指導されている。布製の手下げ袋として比較的全体が柔いタイプのものの場合には、従来の「自動販売機」を用いて手下げ袋を取り出しすることが可能であるが、最近では図６（ａ）に示すように各部に耐久性を考慮した形態の手下げ袋１Ａが販売される傾向にある。この手下げ袋１Ａは、袋体１ｃも補強布６０が施された形態をしているが、その下げ紐１ａ，１ｂが図６（ｂ）に示すように幅寸法ｂで厚みｔの長方形断面で紐の織り方にも種々工夫された比較的硬い布材（場合により皮材）からなり、格段に耐久性が向上したものからなる。
【０００５】
図６（ａ），（ｂ）に示すような手下げ袋１Ａを従来の「自動販売機」を用いて１個づつ取り出すには図７に示すようなゲート円盤２１が必要になる。即ち、このゲート円盤２１の外周には幅寸法ｂで厚みｔの下げ紐１ａ，１ｂの挿入可能な深穴状の凹部４１Ｂが必要になる。手下げ袋１Ａを取り出すにはこの凹部４１Ｂに手下げ袋１Ａの下げ紐１ａ，１ｂを重合状態で挿入して係着し、ゲート円盤２１を回動することにより行われる。
【０００６】
しかしながら、前記のように図６（ａ）に示すような手下げ袋１Ａの場合は、下げ紐１ａ，１ｂが比較的硬いものからなるため、図７に示すような凹部４１Ｂに下げ紐１ａ，１ｂを挿着すること自体が難しく、かつ取り出すまでに紐１ａ，１ｂがねじれて前後方向にも力が働き、ゲート円盤２１の回転に支障をきたすこととなり、手下げ袋１Ａの取り出し作業が円滑に行われず、購入者に迷惑を及ぼすという問題点がある。
【０００７】
本発明は、以上の事情に鑑みて発明されたものであり、比較的硬い形態の手下げ袋であっても凹部への係着が容易にでき、ねじれを生ずることなく１個づつ円滑に取り出すことのできる下げ紐付き物品の自動販売装置を提供することを目的とする。
【０００８】
【課題を解決するための手段】
本発明は、以上の目的を達成するために、下げ紐付き物品の下げ紐の部分を回動拘束されているゲート円盤の外周に形成されている凹部に係止し、購入金額の投入により前記ゲート円盤の拘束を解除し、該ゲート円盤を回動して前記下げ紐付き物品を１個づつ取り出すべく構成される自動販売装置であって、前記下げ紐が幅寸法ｂで厚みｔの長方形断面でやや硬い材料からなる場合において、前記ゲート円盤の前記凹部を円盤の周方向に沿って前記幅寸法ｂより幅広の溝幅ａで前記厚みｔの２倍の寸法より深い深さｈのものから形成することを特徴とする。以上のような構造の凹部を有するゲート円盤を用いることにより、比較的硬い形態の下げ紐付き物品であっても安定、かつ確実な係着ができ、ねじれもなく円滑に取り出すことができる。
【０００９】
【発明の実施の形態】
以下、本発明の下げ紐付き物品の自動販売装置の実施の形態を図面を参照して詳述する。まず、図２，図３により、本発明の自動販売装置の全体構造の概要を説明する。図２に示すように、固定台１１上に本体１２が立設固定され、その前面部１２ａ側には適宜間隔を介して支柱１３が垂直状態で固定台１１上に立設固定される。なお、本体１２と支柱１３とは固定金具１４により離間しないように連結される。本体１２内には支軸２５によりその下端部を枢支される支持枠２４が収納され、支持枠２４には図３に示すように支軸２３により回動可能に支持されるゲート円盤２１が設けられる。また、ゲート円盤２１の前面側は支持枠２４の開口１７から飛び出し本体１２の前面部１２ａから露出した状態で配置される。一方、支柱１３のゲート円盤２１と相対向する位置には部材８０が固定され、部材８０の開放側には円弧状のゲート溝１５が形成される。前記のゲート円盤２１の露出している外周は部材８０内に挿入されゲート溝１５により案内される。支柱１３には手下げ袋１の下げ紐１ａ，１ｂが装着され、手下げ袋１は本体１２側に基端部を支持された保持用案内枠１２によりその外面側を保持される。よって、手下げ袋１は保持用案内枠１２に案内されながら移動し、下げ紐１ａ，１ｂを持ち上げることにより支柱１３に沿って上方に移動される。また、図２において符号１８は手下げ袋１の購入金額の投入口である。
【００１０】
図３に示すように、支柱枠２４の下方側に固定される張出し部２４ｃにはＬ型の係止杆４４の交差角部が枢支され、係止杆４４の一端側はソレノイド４５の中継片４８に連結され、その他端側はゲート円盤２１の段部４２（４３）に係着可能の位置に配置される。また、ゲート円盤２１はストッパ５２，５３の範囲内で回動可能に配置され、図３に示すように係止杆４４が下方の段部４２に係着している状態では係止部５４はストッパ５２に当接する状態で配置されている。
【００１１】
支持枠２４の上方側には本体１２側の固定壁２７とこれに固定される抑止片３１とに当接してその回動角を制限する調節ネジ２８，２９が設けられ、固定壁２７と抑止片３１との間には抑止片３１の移動によってオンオフされるマイクロスイッチ３８が設けられている。また、ゲート円盤２１側には押圧子５１が設けられ、この押圧子５１がリミットスイッチ４９のスイッチ杆４９ａに接触するとソレノイド４５の付勢回路が開放される。
【００１２】
次に、以上の構造の自動販売装置の動作を簡単に説明する。手下げ袋１（１Ａ）の１個分の購入金額を投入口１８（図２）に投金すると、ソレノイド４５が付勢され、係止杆４４が段部４２から離れ、ゲート円盤２１が拘束状態から解放され回動可能の状態になる。従って、後に説明するゲート円盤２１の凹部４１Ａ内に手下げ袋１の下げ紐１ａ，１ｂを挿入して係着することによりゲート円盤２１を矢印Ａ方向に回転でき、これにより手下げ袋１（１Ａ）は持ち上げられ、上方に引き出すことができる。なお、手下げ袋１（１Ａ）は１個のみしか取り出せないが、無理に複数個の手下げ袋１Ａを取り出そうとすると支持枠２４が支軸２５を中心に回動して傾斜し、これにより調節ネジ２９が抑止片３１を押圧し、これによってマイクロスイッチ３８が作動しソレノイド４５の付勢回路が開放され係止杆４４が戻しバネ２６により戻り、ゲート円盤２１の回動が拘束されることになる。
【００１３】
次に、本発明のポイントであるゲージ円盤２１の凹部４１Ａの構造を説明する。本発明の自動販売装置に用いられるゲート円盤２１は前記の図６に示した手下げ袋１Ａに対応するものである。前記のようにこの構造の手下げ袋１Ａの下げ紐１ａ，１ｂは図６（ｂ）に示すように幅寸法ｂの厚みｔの長方形状の断面からなり、布袋ではあるが比較的硬いものからなる。
【００１４】
図１に示すように、本発明のゲート円盤２１の外周に凹設される凹部４１Ａは図示のようにその円周方向に沿って溝幅ａで深さｈの形状のものからなる。溝幅ａは前記の下げ紐１ａ，１ｂの幅寸法ｂに対応するものでこれよりやや長寸のものからなる。また、深さｈは下げ紐１ａ，１ｂは厚みｔの２倍の寸法よりやや深目の寸法のものからなる。
【００１５】
手下げ袋１Ａを支柱１３に収納し、これを取り出す場合には、図１に示すように以上の構造のゲート円盤２１の凹部４１Ａに下げ紐１ａ，１ｂを収納係着する。即ち、従来の技術では図７に示すように下げ紐１ａ，１ｂを縦向きに凹部４１Ｂに挿入係着させるしかなかったが、本発明の場合は、図示のように横向きに下げ紐１ａ，１ｂを重ねて凹部４１Ａ内に挿入する。図７に示すような形態で凹部４１Ｂ内に下げ紐１ａ，１ｂを挿入係着することは実際上難しく、かつ手下げ袋１Ａもねじれてしまいゲート円盤２１の回動が円滑に行わず、その結果手下げ袋１Ａの引き出しも円滑に行わない。しかしながら、図１に示すような形状に凹部４１Ａを形成すると下げ紐１ａ，１ｂの挿入係着が極めて円滑にできゲート円盤２１の回動も手下げ袋１Ａの引き出しも容易に、かつ円滑に安定して行われ、ねじれもない。前記したように、環境保全，省資源の要請から図４に示す手下げ袋１から図６に示す手下げ袋１Ａに移行しなければならなくなる現実において、本発明の自動販売装置のようにゲート円盤２１の凹部４１Ａの形状を工夫することによりこの現実に十分に対応することができる。この実施化は安価に行われ、比較的容易であり、かつ既設のもの新設のものにも対応可能となり、発明の効果は抜群のものとなる。
【００１６】
本発明は、以上の構造のものからなるが、凹部４１Ａの形状に関しては図示のものに限定されるものではなく、手下げ袋の形状，下げ紐の形態に対応し、適宜の形状，寸法のものが適用されることは勿論である。
【００１７】
【発明の効果】
本発明の請求項１の下げ紐付き物品の自動販売装置によれば、ゲート円盤の凹部の形状工夫という比較的簡便な手段により今後推奨される形態の手下げ袋を円滑に、かつ確実に自動引き出しすることができ、広範囲の場所において使用される可能性が極めて大きくなる。また、このタイプの手下げ袋は耐久性があり、環境保全や省資源等の面においても間接的に大きく貢献することができる。
【図面の簡単な説明】
【図１】本発明の下げ紐付き物品の自動販売装置に用いられるゲート円盤の構造を示す平面図。
【図２】本発明のゲート円盤を装着する自動販売装置の外観構造の概要を示す斜視図。
【図３】本発明の自動販売装置のゲート円盤まわりの制御構造の概要を示す平面図。
【図４】紙材やプラスチック材で丸い下げ紐を有する従来の手下げ袋を示す模式的斜視図（ａ）と図４（ａ）のＣ−Ｃ線拡大断面図（ｂ）。
【図５】図４に示した手下げ袋用の自動販売装置のゲート円盤の構造やそれによる手下げ袋の自動取り出し動作を説明するための平面図。
【図６】将来推奨される形態の手下げ袋の概要構造を示す模式的斜視図（ａ）と図６（ａ）のＤ−Ｄ線拡大断面図（ｂ）。
【図７】図６に示した手下げ袋を従来構造の「自動販売機」で自動持ち出しする場合の問題点を説明するための平面図。
【符号の説明】
１Ａ　　手下げ袋
１ａ　　下げ紐
１ｂ　　下げ紐
１ｃ　　袋体
１２　　本体
１３　　支柱
１５　　ゲート溝
２１　　ゲート円盤
２３　　支軸
４１Ａ　凹部
６０　　補強布
【図１】
2004126995.tif 000003
【図２】
2004126995.tif 000004
【図３】
2004126995.tif 000005
【図４】
2004126995.tif 000006
【図５】
2004126995.tif 000007
【図６】
2004126995.tif 000008
【図７】
2004126995.tif 000009